【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
化学、生物、放射線、原子力、および爆発物（ＣＢＲＮＥ）物質を感知することが可能な、一つ以上のセンサーの収集とインターフェース接続するセンサーインターフェースシステムにおいて、センサーインターフェースシステムは、化学センサー生物センサー放射線センサー原子力センサー、かつ／また、爆発物センサーと連結するための一つ以上のデジタルかつ／またアナログセンサーインターフェース、一つ以上のデジタルかつ／またアナログセンサーインターフェースに連結される、アナログセンサーからの信号をデジタルデータに変換する、アナログ信号・デジタルデータ変換器、一つ以上のデジタルかつ／またアナログセンサーインターフェースからの信号を受信および処理する、一つ以上のデジタルかつ／またアナログセンサーインターフェースおよびアナログ信号・デジタルデータ変換器に連結される、信号プロセッサと中央プロセッサ、一つ以上のデジタルかつ／またアナログセンサーインターフェースに連結される一つ以上のセンサーからの信号を表すデジタルデータを通信ネットワークに連結する、信号プロセッサと中央プロセッサに連結される通信装置、一つ以上のデジタルかつ／またアナログセンサーインターフェースのそれぞれに関連し、および一つ以上のデジタルかつ／またアナログセンサーインターフェースにそれぞれ連結する一つ以上のセンサーからの信号を表すデジタルデータにネットワークアクセスを提供する、独立するＴＣＰ／ＩＰアドレス、一つ以上のデジタルかつ／またアナログセンサーインターフェースにそれぞれ接続される一つ以上のセンサーを支援するため、一つ以上のデジタルかつ／またアナログセンサーインターフェースに連結され、および一つ以上のセンサーの較正の出力を調節するためソフトウェア制御に連結される、電圧電源供給モジュール、一つ以上のデジタルかつ／またアナログセンサーインターフェースに連結されるセンサーの較正を調節するよう、ソフトウェア制御を一つ以上のデジタルかつ／またアナログセンサーインターフェースに連結するため、一つ以上のデジタルかつ／またアナログセンサーインターフェースのそれぞれと、および信号プロセッサと中央プロセッサと連結される、ソフトウェア制御インターフェース、一つ以上のデジタルかつ／またアナログセンサーインターフェースからのセンサーデータの収集のため、一つ以上のデジタルかつ／またアナログセンサーインターフェースに通信的に連結されるデジタルデータ収集システム、収集されたセンサーデータのヒストグラムを準備するため、デジタルデータ収集システムに通信的に連結されるマルチチャンネル解析システム、放射線を検出し、かつセンサーデータに関連する一つ以上のターゲット材を識別する収集されたセンサーデータの受信および解析のため、マルチチャンネル解析システムおよびデジタルデータ収集システムに通信的に連結されるスペクトル解析システム、スペクトル解析システムによって使用するための化学、生物、放射線、原子力、および爆発物（ＣＢＲＮＥ）物質スペクトルを表示するデータを保存する第一データ保存手段、一つ以上のスペクトル画像はそれぞれのＣＢＲＮＥ物質を表示する第一データ保存ユニットに保存され、第一データ保存手段は、スペクトル解析システムと通信的に連結される、一つ以上のターゲットとなるＣＢＲＮＥ物質を解析し、かつそれらが表示する危険性のある物質または品物を決定するため、スペクトル解析システムに通信的に連結される情報処理システム、および、検査中のコンテナまたは物体に関する積荷目録を表示するデータを保存するための、第二データ保存手段、第二データ保存手段は、情報処理システムに通信的に連結され、情報処理システムはさらに、検査中のコンテナ、または物体内に不正の物質または品物が存在するかを決定する検査中のコンテナまたは物体に関する積荷目録を、決定された危険性のある物質と比較する、から構成されるセンサーインターフェースシステム。
【請求項２】
一つ以上のデジタルかつ／またアナログセンサーインターフェースは一つのドーターボードに組み込まれる、請求項１に記載のシステム。
【請求項３】
一つ以上のデジタルかつ／またアナログセンサーインターフェースの少なくとも一つは、いずれの型の中性子、アルファ粒子、またはベータ粒子検出器の一つ以上の放射線検出器に接続される、請求項１に記載のシステム。
【請求項４】
一つ以上のデジタルかつ／またアナログセンサーインターフェースの少なくとも一つは、いずれの型の化学、生物、または爆発物検出器の、一つ以上の検出器に直接接続される、請求項１に記載のシステム。
【請求項５】
一つ以上のデジタルかつ／またアナログセンサーインターフェースおよび電圧電源供給モジュールは、化学、生物、放射線、原子力、または爆発物質を検出する、センサーインターフェースが使用可能なネットワークを提供するよう、検出器設計に結合または統合される、請求項１に記載のシステム。
【請求項６】
さらに、ＴＣＰ／ＩＰを使用するネットワークアクセスを経由して、一つ以上の放射線センサーに連結される一つ以上のデジタルかつ／またアナログセンサーインターフェースからデジタルデータ収集システムにデジタルデータを移送する、少なくとも一つのワイヤレスまたはワイヤ線通信システムから構成される、請求項１に記載のシステム。
【請求項７】
一つ以上のデジタルかつ／またアナログセンサーインターフェースおよび電圧電源供給モジュールは、化学、生物、放射線、原子力、または爆発物質を検出する、センサーインターフェースが使用可能なネットワークを提供するよう、検出器設計に結合または統合され、およびさらに、放射線検出器の較正のため使用される参照信号を提供するようセンサーインターフェースが使用可能なネットワークに連結される放射線検出器に、継続的または周期的に放射線検出器に露出される、センサーインターフェースが使用可能なネットワークに統合される放射線ソース、から構成される、請求項１に記載のシステム。
【請求項８】
一つ以上のデジタルかつ／またアナログセンサーインターフェースおよび電圧電源供給モジュールは、化学、生物、放射線、原子力、または爆発物質を検出する、センサーインターフェースが使用可能なネットワークを提供するよう、検出器設計に結合または統合され、およびさらに、インターネット上の複数のユーザーが、センサーインターフェースが使用可能なネットワークに接続すること、かつセンサーインターフェースが使用可能なネットワークと連結される放射線検出器からデジタルデータを得ることが可能である、ウェブ検出を提供するため、センサーインターフェースが使用可能なネットワークに連結されるインターネット通信インターフェース、から構成される、請求項１に記載のシステム。
【請求項９】
一つ以上のデジタルかつ／またアナログセンサーインターフェースに連結される一つ以上の放射線センサーは、放射線センサーの較正に使用する参照信号を提供するため、微量の放射線物質に継続的に露出または選択的に露出される、請求項１に記載のシステム。
【請求項１０】
マルチチャンネル解析システムは、収集された放射線データの正しい較正を得るよう一つ以上の放射線センサーからの収集放射線データを調節するため、一つ以上の放射線センサーに関連する参照信号を使用する、請求項９に記載のシステム。
【請求項１１】
スペクトル解析システムは、インストラクションを情報処理システムに提供するコンピュータプログラム製品上のソフトウェアを使用することにより、検出されたセンサーデータに関連する一つ以上のＣＢＲＮＥ物質を検出および識別するため、収集されたセンサーデータを解析する、請求項１に記載のシステム。
【請求項１２】
さらに、一つ以上のネットワーク上のユーザーが、一つ以上のセンサーそれぞれからの信号を表すデジタルデータ、一つ以上のデジタルかつ／またアナログセンサーインターフェースへのソフトウェア制御、収集されたセンサーデータ、ヒストグラムデータ、および放射線の検出かつ収集センサーデータに関連する一つ以上のターゲット材の識別、の少なくとも一つに関するネットワークサーバーからの情報にアクセスすることができるよう、信号プロセッサと中央プロセッサ、デジタルデータ収集システム、マルチチャンネル解析システム、およびスペクトル解析システムに、通信的に連結されるネットワークサーバーから構成される、請求項１に記載のシステム。
【請求項１３】
さらに、ＴＣＰ／ＩＰ通信プロトコルを経由して通信装置とネットワーク通信するための、ＴＣＰ／ＩＰネットワーク通信インターフェースから構成される、請求項１に記載のシステム。
【請求項１４】
通信装置は、いずれの従来のネットワーク通信プロトコルを経由して他のネットワーク装置とネットワーク通信ができるよう、オープン通信インターフェースを提供する、請求項１に記載のシステム。
【請求項１５】
ピーク検出器は、収集されたセンサーデータから検出されるエネルギー範囲を識別するため、マルチチャンネル解析システムの一つ以上のデジタルかつ／またアナログセンサーインターフェースの少なくとも一つに組み込まれる、請求項１に記載のシステム。
【請求項１６】
ピーク検出器は、収集されたセンサーデータから検出されるエネルギー範囲を識別するため、マルチチャンネル解析システムに組み込まれる、請求項１に記載のシステム。
【請求項１７】
化学、生物、放射線、原子力、および爆発物（ＣＢＲＮＥ）物質を感知することが可能な一つ以上のセンサーの収集と、センサーデータに関連する一つ以上のターゲットとされるＣＢＲＮＥ物質を識別するためセンサーデータを収集かつ処理するセンサーデータ解析システムとの間のセンサーデータを連結するセンサーインテグレーションモジュールにおいて、センサーインテグレーションモジュールは、化学センサー生物センサー放射線センサー原子力センサー、かつ／また、爆発物センサーと連結するための一つ以上のデジタルかつ／またアナログセンサーインターフェース、一つ以上のデジタルかつ／またアナログセンサーインターフェースに連結される、アナログセンサーからの信号をデジタルデータに変換する、アナログ信号・デジタルデータ変換器、一つ以上のデジタルかつ／またアナログセンサーインターフェースからの信号を受信および処理する、一つ以上のデジタルかつ／またアナログセンサーインターフェースおよびアナログ信号・デジタルデータ変換器に連結される、信号プロセッサと中央プロセッサ、一つ以上のデジタルかつ／またアナログセンサーインターフェースに連結される一つ以上のセンサーからの信号を表すデジタルデータを通信ネットワークに連結する、信号プロセッサと中央プロセッサに連結される通信装置、一つ以上のデジタルかつ／またアナログセンサーインターフェースのそれぞれに関連し、および一つ以上のデジタルかつ／またアナログセンサーインターフェースにそれぞれ連結する一つ以上のセンサーからの信号を表すデジタルデータにネットワークアクセスを提供する、独立するＴＣＰ／ＩＰアドレス、およびセンサーデータ解析システムは、通信ネットワーク上のＴＣＰ／ＩＰ通信を経由して一つ以上のセンサーからの信号を表示するデジタルデータを収集かつ解析するため、センサーインテグレーションモジュールに通信ネットワークを経由して通信的に連結されることが可能である、一つ以上のデジタルかつ／またアナログセンサーインターフェースにそれぞれ接続される一つ以上のセンサーを支援するため、一つ以上のデジタルかつ／またアナログセンサーインターフェースに連結され、および一つ以上のセンサーの較正の出力を調節するためソフトウェア制御に連結される、電圧電源供給モジュール、および、一つ以上のデジタルかつ／またアナログセンサーインターフェースに連結される一つ以上のセンサーの較正を調節するよう、一つ以上のデジタルかつ／またアナログセンサーインターフェースにソフトウェア制御を連結するため、一つ以上のデジタルかつ／またアナログセンサーインターフェースのそれぞれと、および信号プロセッサと中央プロセッサと連結されるソフトウェア制御インターフェース、から構成されるセンサーインテグレーションモジュール。
【請求項１８】
さらに、インターネット上の複数のユーザーが、センサーデータに関連する一つ以上のターゲットとされるＣＢＲＮＥ物質を遠隔的に識別する遠隔設置センサーデータ解析システムによって、デジタルデータを処理かつ解析する一つ以上のセンサーからの信号を表すデジタルデータを得るため、センサーインテグレーションモジュールに接続可能である、ウェブ検出を提供する、通信装置に通信的に連結されるインターネット通信インターフェース、から構成される請求項１７に記載のセンサーインテグレーションモジュール。
【請求項１９】
センサーインテグレーションモジュールは、識別された一つ以上のターゲットとされるＣＢＲＮＥ物質をスペクトル的に解析し、かつそれらが表示する危険性のある物質または品物を決定するため、遠隔設置センサーデータ解析システムの（ための）情報から構成される一つ以上のセンサーそれぞれからの信号を表すデジタルデータを提供する、請求項１８に記載のセンサーインテグレーションモジュール。